(57)【特許請求の範囲】
【請求項１】
ユーザの操作に応じた画面を表示する表示手段と、
宛先を指定するための第１の画面を前記表示手段が表示しているときに第１の操作を受け付けると、複数の宛先にデータを送信する第１のモードになり、第２の操作により複数の宛先を設定する設定手段と、
前記設定手段により設定された複数の宛先にデータを送信する送信手段とを備え、
前記設定手段は、前記表示手段が前記第１の画面を表示しているときに前記第２の操作を受け付けると、単一の宛先にデータを送信する第２のモードになり、当該第２の操作により受け付けられた単一の宛先を設定する
通信装置。
【請求項２】
前記表示手段は、前記第２のモードにおいて前記設定手段により単一の宛先が設定された後に前記第１の画面を表示し、
前記設定手段は、前記第２のモードにおいて前記表示手段が前記第１の画面を表示しているときに前記第１の操作を受け付けると、前記第１のモードになり、前記第２の操作により受け付けられた宛先を追加で設定する
請求項１に記載の通信装置。
【請求項３】
ユーザの操作に応じた画面を表示する表示手段と、
宛先を指定するための第１の画面を前記表示手段が表示しているときに第１の操作を受け付けると、複数の宛先にデータを送信する第１のモードになり、第２の操作により複数の宛先を設定する設定手段と、
前記設定手段により設定された複数の宛先にデータを送信する送信手段とを備え、
前記表示手段は、前記第１のモードにおいて前記設定手段により複数の宛先が設定された後に前記第１の画面を表示し、当該第１の画面を表示しているときに前記第１の操作を受け付けると、当該第１の画面と異なる第２の画面を表示し、
前記設定手段は、前記表示手段により前記第２の画面が表示されているときに、宛先を追加又は削除する
通信装置。
【請求項４】
前記表示手段は、前記第１のモードにおいて前記第１の画面と異なる第３の画面を表示し、
前記設定手段は、前記表示手段が前記第３の画面を表示しているときに第３の操作が受け付けられると、既に設定された宛先を削除し、宛先が１つになった場合には、前記第１のモードから前記第２のモードに切り替える
請求項１または２に記載の通信装置。
【請求項５】
前記表示手段は、前記第１のモードにおいて前記設定手段により複数の宛先が設定された後に前記第１の画面を表示し、
前記設定手段は、前記第１のモードにおいて前記表示手段が前記第１の画面を表示しているときに前記第２の操作を受け付けると、前記第１のモードから第４の画面の表示を経て前記第２のモードに切り替える
請求項１または２に記載の通信装置。
【請求項６】
コンピュータに、
宛先を指定するための第１の画面を表示するステップと、
前記第１の画面を表示しているときに第１の操作を受け付けると、複数の宛先にデータを送信する第１のモードになり、第２の操作により複数の宛先を設定するステップと、
前記設定された複数の宛先にデータを送信するステップと、
前記表示するステップが前記第１の画面を表示しているときに前記第２の操作を受け付けると、単一の宛先にデータを送信する第２のモードになり、当該第２の操作により受け付けられた単一の宛先を設定するステップと
を実行させるためのプログラム。
【請求項７】
コンピュータに、
宛先を指定するための第１の画面を表示するステップと、
前記第１の画面を表示しているときに第１の操作を受け付けると、複数の宛先にデータを送信する第１のモードになり、第２の操作により複数の宛先を設定するステップと、
前記第１のモードにおいて前記設定するステップにより複数の宛先が設定された後に前記第１の画面を表示するステップと、
前記複数の宛先が設定された後に前記第１の画面を表示しているときに前記第１の操作を受け付けると、当該第１の画面と異なる第２の画面を表示するステップと、
前記第２の画面を表示しているときに、宛先を追加又は削除するステップと、
前記設定された複数の宛先にデータを送信するステップと
を実行させるためのプログラム。
【発明の詳細な説明】
【技術分野】
【０００１】
本発明は、通信装置及びプログラムに関する。
【背景技術】
【０００２】
ファクシミリ装置などの通信装置には、原稿を単一の宛先に送信する機能と複数の宛先に送信する機能とを有するものがある。これらの機能は、それぞれ、前者が単局送信、後者が同報送信などと呼ばれる。
【０００３】
特許文献１には、通常送信（特定の一の送信先のみへの送信）と同報送信とを原稿検出手段による原稿の検出結果に基づいて制御するファクシミリ装置が開示されている。また、特許文献２には、第１の相手先Ｅメールアドレスの入力後に所定のコードを入力することによって第２の相手先Ｅメールアドレスの入力を受け付け可能にし、入力された全てのＥメールアドレス宛てに文書情報を同報送信するファクシミリ装置が開示されている。
【先行技術文献】
【特許文献】
【０００４】
【特許文献１】特開２００２−０１６７７５号公報
【特許文献２】特許第３５５７９２２号公報
【発明の概要】
【発明が解決しようとする課題】
【０００５】
従来の装置では、同報の有無を設定するための項目を用いて同報の有無を切り替える操作を行う必要があった。
本発明の目的は、同報の有無を設定するための項目を用いて同報の有無を切り替える操作を不要にすることにある。
【課題を解決するための手段】
【０００６】
本発明の請求項１に係る通信装置は、ユーザの操作に応じた画面を表示する表示手段と、宛先を指定するための第１の画面を前記表示手段が表示しているときに第１の操作を受け付けると、複数の宛先にデータを送信する第１のモードになり、第２の操作により複数の宛先を設定する設定手段と、前記設定手段により設定された複数の宛先にデータを送信する送信手段とを備え、前記設定手段は、前記表示手段が前記第１の画面を表示しているときに前記第２の操作を受け付けると、単一の宛先にデータを送信する第２のモードになり、当該第２の操作により受け付けられた単一の宛先を設定する構成である。
本発明の請求項２に係る通信装置は、請求項１に記載の構成において、前記表示手段は、前記第２のモードにおいて前記設定手段により単一の宛先が設定された後に前記第１の画面を表示し、前記設定手段は、前記第２のモードにおいて前記表示手段が前記第１の画面を表示しているときに前記第１の操作を受け付けると、前記第１のモードになり、前記第２の操作により受け付けられた宛先を追加で設定する構成である。
本発明の請求項３に係る通信装置は、ユーザの操作に応じた画面を表示する表示手段と、宛先を指定するための第１の画面を前記表示手段が表示しているときに第１の操作を受け付けると、複数の宛先にデータを送信する第１のモードになり、第２の操作により複数の宛先を設定する設定手段と、前記設定手段により設定された複数の宛先にデータを送信する送信手段とを備える通信装置において、前記表示手段は、前記第１のモードにおいて前記設定手段により複数の宛先が設定された後に前記第１の画面を表示し、当該第１の画面を表示しているときに前記第１の操作を受け付けると、当該第１の画面と異なる第２の画面を表示し、前記設定手段は、前記表示手段により前記第２の画面が表示されているときに、宛先を追加又は削除する構成である。
【０００７】
本発明の請求項４に係る通信装置は、請求項１または２に記載の構成において、前記表示手段が、前記第１のモードにおいて前記第１の画面と異なる第３の画面を表示し、前記設定手段が、前記表示手段が前記第３の画面を表示しているときに第３の操作が受け付けられると、既に設定された宛先を削除し、宛先が１つになった場合には、前記第１のモードから前記第２のモードに切り替える構成である。
本発明の請求項５に係る通信装置は、請求項１または２に記載の構成において、前記表示手段が、前記第１のモードにおいて前記設定手段により複数の宛先が設定された後に前記第１の画面を表示し、前記設定手段が、前記第１のモードにおいて前記表示手段が前記第１の画面を表示しているときに前記第２の操作を受け付けると、前記第１のモードから第４の画面の表示を経て前記第２のモードに切り替える構成である。
【０００８】
本発明の請求項６に係るプログラムは、コンピュータに、宛先を指定するための第１の画面を表示するステップと、前記第１の画面を表示しているときに第１の操作を受け付けると、複数の宛先にデータを送信する第１のモードになり、第２の操作により複数の宛先を設定するステップと、前記設定された複数の宛先にデータを送信するステップと、前記表示するステップが前記第１の画面を表示しているときに前記第２の操作を受け付けると、単一の宛先にデータを送信する第２のモードになり、当該第２の操作により受け付けられた単一の宛先を設定するステップとを実行させるためのプログラムである。
本発明の請求項７に係るプログラムは、コンピュータに、宛先を指定するための第１の画面を表示するステップと、前記第１の画面を表示しているときに第１の操作を受け付けると、複数の宛先にデータを送信する第１のモードになり、第２の操作により複数の宛先を設定するステップと、前記第１のモードにおいて前記設定するステップにより複数の宛先が設定された後に前記第１の画面を表示するステップと、前記複数の宛先が設定された後に前記第１の画面を表示しているときに前記第１の操作を受け付けると、当該第１の画面と異なる第２の画面を表示するステップと、前記第２の画面を表示しているときに、宛先を追加又は削除するステップと、前記設定された複数の宛先にデータを送信するステップとを実行させるためのプログラムである。
【発明の効果】
【０００９】
請求項１、２、７に係る発明によれば、同一内容の文書を複数の宛先に送信する同報通信の有無を設定するための項目を用いて同報の有無を切り替える操作を不要にすることが可能である。
請求項３に係る発明によれば、同一内容の文書を複数の宛先に送信する同報通信の有無を設定するための項目を用いて同報通信の有無を切り替える操作を行うことなく、単一の宛先に送信する第２のモードから同一の内容の文書を複数の宛先に送信する第１のモードに切り替えることが可能である。
請求項４に係る発明によれば、同一の内容の文書を複数の宛先に送信する第１のモードにおいて宛先が設定された後であっても、宛先を追加又は削除することが可能である。
請求項５、６に係る発明によれば、同一内容の文書を複数の宛先に送信する同報通信の有無を設定するための項目を用いて同報通信の有無を切り替える操作を行うことなく、同一の内容の文書を複数の宛先に送信する第１のモードから単一の宛先に送信する第２のモードに切り替えることが可能である。
【図面の簡単な説明】
【００１０】
【図１】情報処理装置の機能的構成を示すブロック図
【図２】情報処理装置のハードウェア構成の一例を示すブロック図
【図３】操作パネル部の外観の一例を示す図
【図４】ファクシミリ送信における液晶表示部の画面遷移の一例を示す図
【図５】ＦＡＸ宛先指示待ち画面の一例を示す図
【図６】番号入力画面の一例を示す図
【図７】番号選択画面の一例を示す図
【図８】同報宛先指示画面の一例を示す図
【図９】ＦＡＸ単局送信画面の一例を示す図
【図１０】番号入力画面の一例を示す図
【図１１】番号選択画面の一例を示す図
【図１２】ＦＡＸ同報送信画面の一例を示す図
【図１３】同報→単局切替確認画面の一例を示す図
【図１４】削除画面の一例を示す図
【図１５】情報処理装置が実行する処理を示すフローチャート
【図１６】情報処理装置が実行する処理を示すフローチャート
【発明を実施するための形態】
【００１１】
［実施例］
図１は、本発明の一実施例に係る情報処理装置１０のファクシミリ通信に関する機能的構成を示すブロック図である。情報処理装置１０は、少なくともファクシミリ機能を有する装置であり、本発明に係る通信装置の一例に相当する。情報処理装置１０は、表示手段１１、設定手段１２及び送信手段１３によってファクシミリ通信を実現する。なお、情報処理装置１０は、ファクシミリ機能のほか、スキャナやプリンタの機能を兼ね備えるものであってもよい。
【００１２】
また、本実施例において、情報処理装置１０は、一のデータ（文書等）を単一の宛先に送信する機能に加え、一のデータを複数の宛先に送信する機能を有する。以下においては、単一の宛先に対するデータの送信を「単局送信」といい、複数の宛先に対するデータの送信を「同報送信」という。
【００１３】
表示手段１１は、各種の画面を表示する手段である。表示手段１１は、例えば液晶表示装置であるが、液晶以外の他の表示素子を用いたものであってもよい。また、表示手段１１は、モノクロ表示であってもカラー表示であってもよい。ユーザは、表示手段１１による画面表示に従って操作を行う。表示手段１１は、ユーザの操作に応じて画面を遷移させる。
【００１４】
設定手段１２は、通信の宛先を設定する手段である。ここでいう宛先は、事前に記録されたものである場合とユーザによって直接入力されるものである場合とがある。設定手段１２は、ユーザの操作に従って宛先を設定するよう構成されている。設定手段１２は、単局送信の場合と同報送信の場合とで異なる操作を受け付け、宛先とその数を判断する。なお、宛先の設定方法の詳細については後述される。
【００１５】
送信手段１３は、データを送信する手段である。送信手段１３は、送信対象のデータを設定手段１２により設定された宛先に対して送信する。送信手段１３は、設定手段１２により複数の宛先が設定された場合には、この複数の宛先に対してデータを送信する。
【００１６】
図２は、情報処理装置１０のハードウェア構成の一例を示すブロック図である。この例において、情報処理装置１０は、ファクシミリ機能、コピー機能及びスキャン機能を有するものであるとする。情報処理装置１０は、制御部１００と、記憶部２００と、通信部３００と、操作パネル部４００と、画像読取部５００と、画像形成部６００とを備える。
【００１７】
制御部１００は、情報処理装置１０の各部の動作を制御する手段である。制御部１００は、ＣＰＵ（Central Processing Unit）などの演算処理装置やメモリを備え、プログラムを実行することによって情報処理装置１０の各部の動作（データの送受信、画面表示など）を制御する。制御部１００は、設定手段１２の一例に相当する
【００１８】
記憶部２００は、データを記憶する手段である。記憶部２００は、例えば、ハードディスクや半導体メモリを備え、制御部１００が使用するデータを記憶する。例えば、記憶部２００は、通信部３００を介して送信するデータや、通信部３００を介して受信したデータを記憶する。
【００１９】
通信部３００は、他の情報処理装置（ファクシミリ装置）とデータを送受信する手段である。通信部３００は、通信回線を介して他の情報処理装置に接続し、通信に必要なデータを送信又は受信する。また、通信部３００は、自装置の通信方式に応じた変調及び復調を行う。通信部３００は、送信手段１３の一例に相当する。
【００２０】
操作パネル部４００は、ユーザの操作を受け付けるとともに、ユーザに情報を提供する手段である。操作パネル部４００は、各種のキー又はボタンと、液晶パネルなどを用いた表示部とを備える。この表示部は、例えば、ドットマトリクス方式によってモノクロ又はカラーの文字や画像を表示する。操作パネル部４００は、表示手段１１の一例に相当する。
【００２１】
画像読取部５００は、原稿を光学的に読み取る手段である。画像読取部５００は、ＣＣＤ（Charge Coupled Device）イメージセンサなどの撮像素子を備え、原稿を表す画像データを生成する。画像読取部５００は、撮像素子を移動させながら原稿を読み取るフラットベッド型、撮像素子の位置を変えずに原稿を移動させて読み取るシートフィード型のいずれであってもよいし、他のタイプであってもよい。
【００２２】
画像形成部６００は、画像データに基づいて画像を形成（すなわち可視化）する手段である。画像形成部６００は、例えば、電子写真方式や熱転写方式によって画像を用紙に形成する。
【００２３】
図３は、操作パネル部４００の外観の一例を示す図である。操作パネル部４００は、液晶表示部４０１と、機能選択ボタン４０２と、電話帳ボタン４０３と、リダイアルボタン４０４と、矢印キー４０５、４０６、４０７、４０８と、ＯＫボタン４０９と、テンキー４１０と、クリアキー４１１と、スタートボタン４１２とを含んで構成される。以下においては、図３に示されたキー又はボタンを総称して「ボタン等」という。
【００２４】
液晶表示部４０１は、情報を表示する手段である。液晶表示部４０１は、液晶パネルとその駆動手段によって構成され、制御部１００による制御に基づいて情報を表示する。例えば、液晶表示部４０１は、１画面に文字を４行又は５行程度表示し、ユーザの操作に応じて画面の表示を変化させる。なお、ここでいう表示の変化には、ある画面から別の画面へと切り替わる画面遷移のほか、同じ画面を表示させたまま文字を増減させたりカーソルを移動させたりするものが含まれる。
【００２５】
機能選択ボタン４０２は、ユーザが利用する機能を選択するためのボタンである。図２の例は、情報処理装置１０の機能として「コピー機能（COPY）」、「スキャン機能（SCAN）」及び「ファクシミリ機能（FAX）」の３種類の機能がある場合を例示している。なお、機能選択ボタン４０２は、情報処理装置１０が有する機能に応じた数だけあればよく、図示した個数に限定されない。
【００２６】
電話帳ボタン４０３は、電話帳を呼び出すためのボタンである。ここにおいて、電話帳とは、ファクシミリ通信の宛先を示す電話番号を記録したデータをいう。また、電話帳には、名称（会社名、個人の氏名など）が電話番号に対応付けられて記憶されていてもよい。制御部１００は、電話帳ボタン４０３が押下されると、電話帳に記録された電話番号を液晶表示部４０１に一覧表示させる。
【００２７】
リダイアルボタン４０４は、いわゆるリダイアルを行うためのボタンである。ここにおいて、リダイアルとは、これまでに通信を行ったことがある相手、換言すれば宛先が既知の相手の宛先を呼び出すためのボタンである。制御部１００は、ファクシミリを送信又は受信した相手の電話番号を通信履歴として記録し、リダイアルボタン４０４が押下されると、この通信履歴を読み出して液晶表示部４０１に一覧表示させる。
【００２８】
矢印キー４０５、４０６、４０７、４０８は、方向を指定するためのキー（ボタン）であり、それぞれが上（４０５）、下（４０６）、左（４０７）、右（４０８）に対応している。矢印キー４０５、４０６、４０７、４０８は、例えば、カーソルを移動させるために用いられるが、それ以外の用途にも用いられてもよい。
【００２９】
ＯＫボタン４０９は、ユーザの選択や処理の内容を確定させるためのボタンである。また、本実施例においては、ＯＫボタン４０９は、特定の画面が表示されている場合において、データの送信モードを単局送信モードから同報送信モードに切り替えるためのボタンとして機能する。
【００３０】
テンキー４１０は、電話番号などの数字を入力するためのキーである。テンキー４１０は、テンキー４１０は、０〜９の数字キーを少なくとも含み、そのほか、「＊」、「＃」などの記号を含んでもよい。また、クリアキー４１１は、テンキー４１０などによる入力を取り消すためのキーである。
【００３１】
スタートボタン４１２は、処理の開始を指示するためのボタンである。スタートボタン４１２は、コピー、スキャン、ファクシミリ通信などを開始するときに押下される。なお、スタートボタン４１２による指示を取り消すためのボタンがスタートボタン４１２の周囲に設けられてもよい。
【００３２】
情報処理装置１０の構成は、以上のとおりである。情報処理装置１０は、この構成のもと、ユーザの操作に応じた処理を実行する。例えば、情報処理装置１０は、ユーザがセットした文書を画像読取部５００によって読み取って画像データを生成し、通信部３００を介してこの画像データをファクシミリ装置に送信する。また、情報処理装置１０は、通信部３００を介して画像データを受信すると、画像形成部６００によってこの画像データに応じた画像を用紙に形成する。
【００３３】
ユーザは、ファクシミリ機能を利用してデータを送信する場合、その宛先に応じて送信モードを切り替える。すなわち、ユーザは、単一の宛先にデータを送信する場合には単局送信モードを用いる一方、複数の宛先に同一のデータを送信（すなわち同報）する場合には同報送信モードを用いる。同報送信モード及び単局送信モードは、それぞれ、本発明に係る第１のモード及び第２のモードの一例に相当する。
【００３４】
図４は、本実施例のファクシミリ送信における液晶表示部４０１の画面遷移を示す図である。情報処理装置１０は、機能選択ボタン４０２によってファクシミリ機能が選択された場合に、ファクシミリ機能のＦＡＸ宛先指示待ち画面ＳＣ１を表示する。
【００３５】
図５は、ＦＡＸ宛先指示待ち画面ＳＣ１の一例を示す図である。ＦＡＸ宛先指示待ち画面ＳＣ１には、「宛先指示」、「送信解像度」、「送信濃度」といった項目が表示される。ＦＡＸ宛先指示待ち画面ＳＣ１は、カーソルが「宛先指示」にある状態を示したものであり、カーソルがある項目の文字色と背景色とが反転表示されている。カーソルは、矢印キー４０５、４０６を押下することにより移動可能である。ＦＡＸ宛先指示待ち画面ＳＣ１（及び後述するＦＡＸ単局送信画面ＳＣ５、ＦＡＸ同報送信画面ＳＣ８）は、宛先を指定するための画面であり、本発明に係る第１の画面の一例に相当する。
【００３６】
「宛先指示」が選択された状態において、ユーザがテンキー４１０（数字キー）又は電話帳ボタン４０３を押下すると、情報処理装置１０は、送信モードを単局送信モードにする。宛先を入力するための項目を含む複数の項目から宛先を入力するための項目を選択若しくは確定する操作又は宛先が設定された状態で宛先を確定する操作を第１の操作という。例えば、「宛先指示」が選択された表示状態において、ユーザがＯＫボタン４０９を押下した場合、情報処理装置１０は、送信モードを同報送信モードにする。「宛先指示」が選択された状態のメニュー画面においてユーザがＯＫボタン４０９を押下する操作は、本発明に係る第１の操作の一例に相当する。
【００３７】
単局送信モードにおいて、情報処理装置１０は、テンキー４１０が押下された場合には番号入力画面ＳＣ２を表示し、電話帳ボタン４０３が押下された場合には番号選択画面ＳＣ３を表示する。また、同報送信モードにおいて、情報処理装置１０は、同報宛先指示画面ＳＣ４を表示する。
【００３８】
図６、７、８は、それぞれ、番号入力画面ＳＣ２、番号選択画面ＳＣ３、同報宛先指示画面ＳＣ４の一例を示す図である。番号入力画面ＳＣ２は、ユーザが入力した数字を表示する画面である。ユーザは、電話番号を入力し終えると、ＯＫボタン４０９を押下する。また、番号選択画面ＳＣ３は、電話帳に記録されている電話番号を一覧表示する画面である。番号選択画面ＳＣ３において、ユーザは、矢印キー４０５、４０６を押下することによって所望の電話番号を選択する。送信の宛先を入力する操作又は該操作で入力された宛先を確定する操作が第２の操作である。電話番号を入力する操作と電話帳に電話番号された宛先を選択する操作やテンキー４１０の選択により宛先を入力する操作又は該操作によって入力された宛先をＯＫボタン４０９で確定する操作は第２の操作（一の宛先を指定する操作）である。
【００３９】
同報宛先指示画面ＳＣ４は、宛先を一覧表示するための画面である。情報処理装置１０は、ユーザによって追加された電話番号を同報宛先指示画面ＳＣ４に表示する。また、情報処理装置１０は、宛先を削除する操作を同報宛先指示画面ＳＣ４において受け付ける。情報処理装置１０は、同報宛先指示画面ＳＣ４においてクリアキー４１１が押下された場合に、後述する削除画面ＳＣ１０を表示する。同報宛先指示画面ＳＣ４は、宛先を追加又は削除するための画面であり、本発明に係る第２の画面の一例に相当する。
【００４０】
ユーザは、番号入力画面ＳＣ２又は番号選択画面ＳＣ３において宛先の指定を終えたらＯＫボタン４０９を押下する。情報処理装置１０は、この一連の操作を受け付けると、ＦＡＸ単局送信画面ＳＣ５を表示する。
【００４１】
図９は、ＦＡＸ単局送信画面ＳＣ５の一例を示す図である。この例において、ＦＡＸ単局送信画面ＳＣ５は、ＦＡＸ宛先指示待ち画面ＳＣ１に電話番号と宛先の数とを表示させたものである。ユーザは、ＦＡＸ単局送信画面ＳＣ５において宛先と送信条件（ここでは、送信解像度と送信濃度）を確認し、問題がなければスタートボタン４１２を押下する。情報処理装置１０は、ＦＡＸ単局送信画面ＳＣ５においてスタートボタン４１２が押下されると、設定された一の宛先に設定された送信条件でデータを送信する。
【００４２】
一方、ＦＡＸ単局送信画面ＳＣ５においてテンキー４１０又は電話帳ボタン４０３が押下された場合、情報処理装置１０は、既存の宛先を削除し、新たな宛先の設定を受け付ける。このとき、情報処理装置１０は、テンキー４１０が押下された場合には番号入力画面ＳＣ２を表示し、電話帳ボタン４０３が押下された場合には番号選択画面ＳＣ３を表示する。その後、情報処理装置１０は、新たな電話番号が入力されたら、ＦＡＸ単局送信画面ＳＣ５を再度表示する。したがって、情報処理装置１０は、単局送信モードにおいて宛先が複数入力されたとしても、同報送信モードには切り替えずに、最後に入力された宛先のみを有効にすることで単局送信モードを維持する。
【００４３】
また、ＦＡＸ単局送信画面ＳＣ５においてＯＫボタン４０９が押下された場合、情報処理装置１０は、ＦＡＸ宛先指示待ち画面ＳＣ１が表示されている場合と同様に、送信モードを同報送信モードに切り替える。この場合、情報処理装置１０は、図８に示した同報宛先指示画面ＳＣ４を表示する。
【００４４】
同報宛先指示画面ＳＣ４において、情報処理装置１０は、テンキー４１０又は電話帳ボタン４０３によって宛先の入力を受け付ける。このとき、情報処理装置１０は、番号入力画面ＳＣ２、番号選択画面ＳＣ３と同様の画面である番号入力画面ＳＣ６、番号選択画面ＳＣ７を表示する。
【００４５】
図１０、１１は、それぞれ、番号入力画面ＳＣ６、番号選択画面ＳＣ７の一例を示す図である。番号入力画面ＳＣ６、番号選択画面ＳＣ７は、ＯＫボタン４０９が押下された場合の画面の遷移先が番号入力画面ＳＣ２、番号選択画面ＳＣ３と異なる。情報処理装置１０は、番号入力画面ＳＣ６又は番号選択画面ＳＣ７においてＯＫボタン４０９が押下された場合、同報宛先指示画面ＳＣ４を再度表示し、別の宛先の入力を受け付ける状態になる。ユーザは、このような画面遷移によって複数の宛先を入力する。
【００４６】
ユーザは、必要な宛先を全て入力したら、同報宛先指示画面ＳＣ４においてＯＫボタン４０９を押下する。すると、情報処理装置１０は、図１２に示すＦＡＸ同報送信画面ＳＣ８を表示する。ＦＡＸ同報送信画面ＳＣ８は、宛先の数が複数（図１２では「２」）である点においてＦＡＸ単局送信画面ＳＣ５と異なるものの、その他の点においてＦＡＸ単局送信画面ＳＣ５と共通の画面である。
【００４７】
情報処理装置１０は、ＦＡＸ同報送信画面ＳＣ８においてスタートボタン４１２が押下されると、設定された複数の宛先に設定された送信条件でデータを送信する。一方、情報処理装置１０は、ＦＡＸ同報送信画面ＳＣ８においてテンキー４１０又は電話帳ボタン４０３が押下されると、既存の宛先の設定を解除するとともに、送信モードを同報送信モードから単局送信モードに切り替える。ただし、情報処理装置１０は、送信モードを切り替える前に同報→単局切替確認画面ＳＣ９を表示し、ユーザに確認を促す。
【００４８】
図１３は、同報→単局切替確認画面ＳＣ９の一例を示す図である。この画面において、情報処理装置１０は、これまでに設定した複数の宛先の情報がクリアされ、送信モードが単局送信モードに切り替わることを通知し、ユーザに同意を求める。ユーザは、この通知に同意する場合にはＯＫボタン４０９を押下し、操作を取り消す場合にはクリアキー４１１を押下する。情報処理装置１０は、ＯＫボタン４０９が押下された場合には送信モードを単局に切り替え、番号入力画面ＳＣ２又は番号選択画面ＳＣ３を表示する。一方、情報処理装置１０は、クリアキー４１１が押下された場合には直前の操作を取り消し、ＦＡＸ同報送信画面ＳＣ８を表示する。同報→単局切替確認画面ＳＣ９は、送信モードの切り替えを確認するための画面であり、本発明に係る第４の画面の一例に相当する。
【００４９】
また、情報処理装置１０は、ＦＡＸ同報送信画面ＳＣ８においてＯＫボタン４０９が押下された場合、同報宛先指示画面ＳＣ４を表示する。ここで、情報処理装置１０は、クリアキー４１１が押下された場合には、削除画面ＳＣ１０を表示し、既に設定されている複数の宛先の一部を削除する操作を受け付ける。このとき、情報処理装置１０は、宛先の数が減少して複数から単数になった場合には、送信モードを同報送信モードから単局送信モードに切り替える。また、情報処理装置１０は、既に設定されている宛先の全てが削除された場合には、ＦＡＸ宛先指示待ち画面ＳＣ１に戻ってもよい。
【００５０】
図１４は、削除画面ＳＣ１０の一例を示す図である。削除画面ＳＣ１０には、既に設定されている宛先の電話番号が一覧表示されている。ユーザは、矢印キー４０５、４０６によって電話番号を選択し、クリアキー４１１を押下することによって当該選択した電話番号を宛先から削除する。情報処理装置１０は、削除画面ＳＣ１０においてＯＫボタン４０９が押下されると、宛先の削除を終了し、ＦＡＸ同報送信画面ＳＣ８に戻る。このとき、情報処理装置１０は、宛先が１つになった場合には、送信モードを同報送信モードから単局送信モードに切り替え、ＦＡＸ同報送信画面ＳＣ８に代えてＦＡＸ単局送信画面ＳＣ５を表示する。このように、既に設定された宛先を削除するための画面は第３の画面であり、当該宛先を削除するための操作は第３の操作である。削除画面ＳＣ１０は、本発明に係る第３の画面の一例に相当する。
【００５１】
図１５、１６は、情報処理装置１０の制御部１００が実行する処理を示すフローチャートである。制御部１００は、同図に示す処理を実行することによって図４に示した画面遷移を実現し、宛先を設定する。なお、ここでは、宛先の設定と密接な関連を有しない処理の説明は省略されている。
【００５２】
ファクシミリ機能が選択された場合、制御部１００は、まず、液晶表示部４０１にＦＡＸ宛先指示待ち画面ＳＣ１を表示させる（ステップＳＴ１）。次いで、制御部１００は、ＦＡＸ宛先指示待ち画面ＳＣ１が表示された状態でボタン等のいずれかが押下されたか否かを判断する（ステップＳＴ２）。制御部１００は、ボタン等のいずれかが押下されるまでこの判断を繰り返す。
【００５３】
ここで、制御部１００は、押下されたボタン等がＯＫボタン４０９か否かを判断する（ステップＳＴ３）。ＯＫボタン４０９が押下された場合、制御部１００は、「宛先指示」が選択された状態（すなわち、図５に示した状態）であるか否かをさらに判断する（ステップＳＴ４）。
【００５４】
ＦＡＸ宛先指示待ち画面ＳＣ１において「宛先指示」が選択された状態でＯＫボタン４０９が押下されると、制御部１００は、このときの送信モードを同報送信モードであると判断する。この場合、制御部１００は、液晶表示部４０１に同報宛先指示画面ＳＣ４を表示させる（ステップＳＴ５）。すなわち、このとき液晶表示部４０１の画面表示は、ＦＡＸ宛先指示待ち画面ＳＣ１から同報宛先指示画面ＳＣ４に遷移する。
【００５５】
その後、制御部１００は、入力受付処理を実行する（ステップＳＴ６）。入力受付処理とは、具体的には、テンキー４１０又は電話帳ボタン４０３の押下に応じて番号入力画面ＳＣ６又は番号選択画面ＳＣ７（あるいは、番号入力画面ＳＣ２又は番号選択画面ＳＣ３）を表示し、宛先となる電話番号の入力を受け付ける処理をいう。また、入力受付処理は、削除画面ＳＣ１０を表示し、既に設定された宛先を削除するための操作（入力）を受け付ける処理を含む。入力受付処理において、制御部１００は、図４を参照して説明したように、電話番号の入力後にＯＫボタン４０９が押下されると同報宛先指示画面ＳＣ４を再度表示させる。このとき表示される同報宛先指示画面ＳＣ４には、直前に入力された電話番号が新たに表示（追加）されている。制御部１００は、このような画面遷移を繰り返すことにより、複数の電話番号の入力を受け付ける。
【００５６】
なお、電話番号を連続して入力する方法は、番号入力画面ＳＣ６又は番号選択画面ＳＣ７が表示された状態でＯＫボタン４０９を押下し、同報宛先指示画面ＳＣ４に画面遷移させるものに限定されない。例えば、制御部１００は、番号入力画面ＳＣ６又は番号選択画面ＳＣ７が表示された状態であらかじめ決められたボタン等（例えば、「＊」）を押下することにより、同報宛先指示画面ＳＣ４に画面遷移することなく連続的に電話番号の入力を受け付けるように構成されてもよい。
【００５７】
制御部１００は、同報宛先指示画面ＳＣ４が表示された後に押下されたボタン等に応じてその後の処理を異ならせる（ステップＳＴ７）。例えば、制御部１００は、同報宛先指示画面ＳＣ４又は削除画面ＳＣ１０においてＯＫボタン４０９が押下された場合には、宛先を設定する（ステップＳＴ８）一方、同報宛先指示画面ＳＣ４においてテンキー４１０又は電話帳ボタン４０３が押下された場合には宛先の入力が終了していないと判断し、ステップＳＴ６の入力受付処理を再度実行する。なお、制御部１００は、削除画面ＳＣ１０においてクリアキー４１１が押下された場合には、宛先を削除する。
【００５８】
制御部１００は、ステップＳＴ８において宛先を設定したら、液晶表示部４０１にＦＡＸ同報送信画面ＳＣ８を表示させる。これ以降の処理は、ステップＳＴ１の「ＦＡＸ宛先指示待ち画面ＳＣ１」を「ＦＡＸ同報送信画面ＳＣ８」と読み替えれば、ステップＳＴ１以降の処理と同様である。制御部１００は、この状態でスタートボタン４１２が押下されると、データの送信を開始する。ここにおいて、データの送信を開始する処理は、ステップＳＴ１７の処理の一例に相当する。
【００５９】
なお、ステップＳＴ４の判断が否定的（ＮＯ）である場合、すなわち、ＦＡＸ宛先指示待ち画面ＳＣ１において「宛先指示」が選択されていない状態でＯＫボタン４０９が押下された場合には、制御部１００は、そのとき選択されている項目に応じた処理を実行する（ステップＳＴ９）。例えば、制御部１００は、「送信解像度」が選択された状態でＯＫボタン４０９が押下された場合には、解像度の入力を受け付ける処理を実行する。
【００６０】
また、ステップＳＴ３の判断が否定的である場合、すなわち、押下されたボタン等がＯＫボタン４０９でない場合には、制御部１００は、押下されたボタン等がテンキー４１０であるか否かを判断する（ステップＳＴ１０）。制御部１００は、テンキー４１０が押下された場合には、液晶表示部４０１に番号入力画面ＳＣ２を表示させ、入力受付処理を実行する（ステップＳＴ１１）。その後、制御部１００は、番号入力画面ＳＣ２が表示された状態でＯＫボタン４０９が押下されたか否かを判断し（ステップＳＴ１２）、ＯＫボタン４０９が押下された場合には、宛先を設定し（ステップＳＴ１３）、ＦＡＸ単局送信画面ＳＣ５を表示させる。これ以降の処理は、ステップＳＴ１の「ＦＡＸ宛先指示待ち画面ＳＣ１」を「ＦＡＸ単局送信画面ＳＣ５」と読み替えれば、ステップＳＴ１以降の処理と同様である。制御部１００は、ＯＫボタン４０９以外のボタン等（例えばテンキー４１０）が押下された場合には、入力受付処理を続行する。
【００６１】
次に、ステップＳＴ１０の判断が否定的である場合、すなわち、押下されたボタン等がＯＫボタン４０９でもテンキー４１０でもない場合には、制御部１００は、押下されたボタン等が電話帳ボタン４０３であるか否かを判断する（ステップＳＴ１４）。制御部１００は、電話帳ボタン４０３が押下された場合には、液晶表示部４０１に番号選択画面ＳＣ３を表示させ、入力受付処理を実行する（ステップＳＴ１５）。その後、制御部１００は、番号選択画面ＳＣ３が表示された状態でＯＫボタン４０９が押下されたか否かを判断し（ステップＳＴ１６）、ＯＫボタン４０９が押下された場合には、宛先を設定し（ステップＳＴ１３）、ＦＡＸ単局送信画面ＳＣ５を表示させる（ステップＳＴ１）。制御部１００は、ＯＫボタン４０９以外のボタン等（例えば矢印キー４０５、４０６）が押下された場合には、入力受付処理を続行する。
【００６２】
なお、ステップＳＴ１４の判断が否定的である場合、すなわち、押下されたボタン等がＯＫボタン４０９、テンキー４１０、電話帳ボタン４０３のいずれでもない場合には、制御部１００は、押下されたボタン等に応じた処理を実行する（ステップＳＴ１７）。例えば、ＦＡＸ単局送信画面ＳＣ５が表示された状態においてスタートボタン４１２が押下された場合、制御部１００は、データの送信を開始する。
【００６３】
以上のとおり、本実施例における送信モードの切り替えは、特定の画面が表示されている場合における複数の操作（第１の操作及び第２の操作）の組み合わせによって実現される。したがって、本実施例によれば、送信モードを切り替えるために第１の操作及び第２の操作以外の操作を行う必要がなく、例えば、送信モードを切り替えるための専用のボタンを設け、これを押下する操作を行う必要がなくなる。また、本実施例によれば、送信モードを切り替えるための画面（すなわち、単局送信モードと同報送信モードのいずれかを選択する画面）が不要であるため、当該画面を要する場合よりも画面遷移の数が少なくなる。
【００６４】
［変形例］
本発明の実施の態様は、上述した実施例に限定されない。例えば、本発明は、以下に説明する態様によって実施されてもよい。また、本発明は、上述した実施例と１又は複数の変形例とを組み合わせて実施されてもよい。
【００６５】
（１）上述した実施例において、第２の操作（すなわち、宛先を１件ずつ指定する操作）には、テンキー４１０又は電話帳ボタン４０３を押下する操作に加え、リダイアルボタン４０４を押下する操作も該当し得る。リダイアルボタン４０４が押下された場合、情報処理装置１０は、通信履歴として記録された電話番号を一覧表示する。この場合、ユーザは、電話帳ボタン４０３を押下した場合と同様の操作によって電話番号を入力すればよい。
【００６６】
（２）本発明における操作は、ボタン等を押下するものに限定されない。本発明は、ボタン等に相当する画像をタッチスクリーンディスプレイに表示させ、この画像にタッチすることによって操作を行うものであってもよい。したがって、本発明において、ボタン等は、必須の構成要素ではない。
【００６７】
（３）本発明における通信は、通信回線として電話網を用いるものに限定されない。例えば、本発明は、ＩＰ（Internet Protocol）通信網を用いたインターネットファクシミリに適用されてもよい。また、本発明は、受信したデータを用紙に表示することで可視化するものに限定されず、例えば、表示装置によって表示を行ってもよい。
【００６８】
（４）本発明は、通信装置のほか、コンピュータを本発明に係る通信装置として機能させるためのプログラムや通信装置の操作方法といった形態でも提供され得る。また、本発明に係るプログラムは、光記録媒体、半導体メモリなどのコンピュータが読取可能な記録媒体に記憶した状態で提供されてもよい。かかるプログラムは、インターネットなどの通信手段を用いて通信装置にダウンロードされることによって利用可能になるものであってもよい。
【符号の説明】
【００６９】
１０…情報処理装置、１１…表示手段、１２…設定手段、１３…送信手段、１００…制御部、２００…記憶部、３００…通信部、４００…操作パネル部、５００…画像読取部、６００…画像形成部
【図１】
0006375827.tif 000002
【図２】
0006375827.tif 000003
【図３】
0006375827.tif 000004
【図４】
0006375827.tif 000005
【図５】
0006375827.tif 000006
【図６】
0006375827.tif 000007
【図７】
0006375827.tif 000008
【図８】
0006375827.tif 000009
【図９】
0006375827.tif 000010
【図１０】
0006375827.tif 000011
【図１１】
0006375827.tif 000012
【図１２】
0006375827.tif 000013
【図１３】
0006375827.tif 000014
【図１４】
0006375827.tif 000015
【図１５】
0006375827.tif 000016
【図１６】
0006375827.tif 000017